(57)【特許請求の範囲】
【請求項１】
地下構造物用の蓋体の縁に形成されている孔部を開閉可能に閉塞するための装置であって、孔部を閉塞する閉塞板を外方の一端に有するリンク部材を具備し、同リンク部材の内方の一端と同リンク部材の中間の部分に上下２個の平行部材を夫々の一端部にて軸支し、２個の平行部材は他端部にて蓋体に軸支することにより、閉塞板が相対的に外部上方の閉じ位置とそれよりも内部下方の後退位置との間を平行移動可能な平行リンクを形成し、平行リンクに付勢手段を作用させることにより、閉塞板が孔部を閉じる方向へ付勢したことを特徴とする地下構造物用蓋の孔部閉塞装置。
【請求項２】
閉塞板は孔部に下から嵌まるテーパ状構造を持ち、かつその下部に孔部よりも大型の鍔部を有している請求項１記載の地下構造物用蓋の孔部閉塞装置。
【請求項３】
付勢手段は、弾性力によって、閉塞板が孔部を閉じる方向へ付勢するように平行リンクに設けた弾性部材である請求項１記載の地下構造物用蓋の孔部閉塞装置。
【請求項４】
地下構造物用の蓋体の縁に形成されている孔部を開閉可能に閉塞するための装置であって、孔部を閉塞する閉塞板を外方の一端に有するリンク部材を具備し、同リンク部材の内方の一端と同リンク部材の中間の部分に上下２個の平行部材を夫々の一端部にて軸支し、２個の平行部材は他端部にて蓋体に軸支することにより、閉塞板が相対的に外部上方の閉じ位置とそれよりも内部下方の後退位置との間を平行移動可能な平行リンクを形成し、平行リンクに付勢手段を作用させることにより、閉塞板が孔部を閉じる方向へ付勢し、さらに閉塞板が閉じ位置にあるときに蓋受枠側に設けられている相手部と係合可能であり、閉塞板が後退位置にあるときに上記係合可能な状態から解除されるロック部材を蓋体に軸支したことを特徴とする地下構造物用蓋の孔部閉塞装置。
【請求項５】
平行リンクはロック部材との連繋によって、閉塞板を閉じ位置へ規定するようにバックアップが可能な状態におかれている請求項４記載の地下構造物用蓋の孔部閉塞装置。
【発明の詳細な説明】
【０００１】
【発明の属する技術分野】
本発明は、地下構造物用の蓋体の縁に形成されている孔部を開閉可能に閉塞するための装置に関するものである。
【０００２】
【従来の技術】
地下構造物用蓋には開蓋工具を差し込む孔部を設けたものがあり、そのような蓋体では孔部を閉じて水や土砂の侵入を防ぐ閉塞板を取り付けることが行われており、１例として実公平７−５４３５５号を示すことができる。しかしその発明の場合、閉塞板を設けた操作体が支軸周りに揺動可能に軸支されているので、孔部を隙き間なしに閉じるには閉塞板との接触を避ける凹部を蓋受枠内面に設けることが望まれる。このような凹部を形成することは製造上工程が増えることから好ましくなく、製品として製造しにくいという問題があった。
【０００３】
これに対し、特開平６−１４６３１４号の発明では閉塞栓のスライド溝に、蓋体の裏面に設けられたガイド軸を挿通するという構成を取り、これによって閉塞栓をガイド軸により案内されるバール挿入孔へ向けて直線的に誘導する方式を具備している。しかしこの方式ではガイド機構における摩擦抵抗が大きく、また閉塞栓を閉じ位置へ配置するためにより重い重錘が必要となる。このような状況により、他の機構を併設することができず、例えばロック機構を設けることは行われていない。ロック機構を設けない場合には鉄蓋が拘束されないため事故を招くおそれがあり、また他の位置にロック機構を設けるとすれば、その位置は蓋開閉方向中心線から外れるため、不均等となるか或いは左右２箇所必要となりいずれにしても得策とは言えない。
【０００４】
【発明が解決しようとする課題】
本発明は前記の点に着目してなされたもので、その課題は他部分との干渉を起こさずに孔部を隙き間なく閉じることができると同時に、蓋体のロック機構を併設可能な孔部閉塞装置を提供することである。
【０００５】
【課題を解決するための手段】
前記の課題を解決するため本発明は、孔部を閉塞する閉塞板を外方の一端に有するリンク部材を具備し、同リンク部材の内方の一端と同リンク部材の中間の部分に上下２個の平行部材を夫々の一端部にて軸支し、２個の平行部材は他端部にて蓋体に軸支することにより、閉塞板が相対的に外部上方の閉じ位置とそれよりも内部下方の後退位置との間を平行移動可能な平行リンクを形成し、平行リンクに付勢手段を作用させることにより、閉塞板が孔部を閉じる方向へ付勢するという手段を講じたものである。さらに閉塞板が閉じ位置にあるときに蓋受枠側に設けられている相手部と係合し、閉塞板が後退位置にあるときに上記係合が解除されるロック部材を蓋体に軸支するという構成を付加し、なお、またリンク構成部材の移動に連繋させる、という手段を講じることもできる。
【０００６】
【発明の実施の形態】
本発明に係る孔部閉塞装置は、地下構造物用の蓋体の縁に形成されている孔部を開閉可能に閉塞するためのものである。地下構造物にはマンホールであるとかハンドホールなどと称する開口があり、これを閉じている蓋体を開くときに、手かぎであるとかバールなどと呼ばれる工具によってこじ開けるための孔部が蓋体に設けられている。この孔部の内蓋体の縁にあるものは、孔部を閉じる閉塞板を蓋受枠側と接触を起こさずに設けることが困難である。そこで本発明では、閉塞板を一端に有する部材をリンク機構の一部材として具備する。閉塞板は孔部に下から栓をするように嵌まる構造を持っていることが望ましい。
【０００７】
閉塞板はリンク部材の一端に設けられ、リンク部材の他の箇所に、上下２個の平行部材が夫々の一端部にて軸支される。平行部材は、さらに他端部にて、蓋体（の裏面）に軸支され、これによって平行リンクが形成される。この平行リンクは、閉塞板が相対的に外部上方の位置を取る閉じ位置と、それよりも内部下方の位置を取る後退位置との間で移動可能なものとするとともに、平行移動によって閉塞板の姿勢を常に一定に保つこととなる。
【０００８】
本発明では、平行リンクに対して付勢手段を作用させる。付勢手段の一つとしては弾性部材を設け、その弾性力によって、閉塞板が孔部を閉じる方向へ付勢することができる。弾性部材は、平行リンクに作用して閉塞板を閉じ位置へ付勢することができればどのように設けても良く、またその具体的な形状、構造は任意に設計することができる。
【０００９】
さらに、閉塞板が閉じ位置にあるときに蓋受枠側に設けられている相手部と係合可能であり、閉塞板が後退位置にあるときには上記の係合可能な状態から解除されるロック部材を蓋体（の裏面）に軸支することができる。このロック部材は、平行リンクのリンク構成部材の移動に連繋して移動し、それに基づいて上記の係合と、その解除が行われる。
【００１０】
平行リンクはロック部材との連繋によって、ロック部材のバックアップを受けることが可能である。つまりロック部材は付勢手段として作用し得る。そのために閉塞板が閉じ位置の方向へ位置決めされる構成の下ではばね等他の付勢手段はなくても良いが、常に孔部を閉じておくためには有効である。またばね等の弾性部材が破損した場合には、閉塞板を閉じ位置に近付けておかれるので、孔部が全開してしまうこともない。
【００１１】
【実施例】
以下図示の実施例を参照して本発明をより詳細に説明する。図１、図２に示す実施例１において、１１は地下構造物に設けられている蓋受枠、１２は蓋体を示している。蓋受枠内面に設けられた傾斜受面にて蓋体外周のテーパ上面を受け支えており、傾斜受面下方には内方突出部があり、これは後述するロック機構のための相手部１３を構成している。
【００１２】
蓋体１２の外周には開蓋操作等に使用される孔部１４が切欠状に形成されており、これを閉塞する閉塞板１５が蓋体裏面に孔部閉塞装置１０の一部として設けられている。閉塞板１５は孔部に下から嵌まるテーパ状構造を持ち、かつその下部に孔部１４よりも大形の鍔部１６を有し（図２）、孔部周縁に接して閉塞を完全にし、またストッパーの役目も果たすようになっている。
閉塞板１５はリンク部材１７の外方の一端に設けられており、リンク部材１７の内方の一端と同中間の部分には、夫々軸支部１８、１９が設定されており、両軸支部１８、１９に２個の平行部材２０、２１が夫々の一端部にて軸支されている。図１に示されているように下方の平行部材２０はリンク部材１７の両側に位置する２部分２０ａ、２０ｂから成り、両側の軸支部１８、１８に軸支され、上方の平行部材２１はリンク部材１７の二又構造として示された部分間に位置して軸材１９ａによって軸支されている。１８ａ、１８ｂ、１９ｂは軸穴を示す。また両平行部材２０、２１は他端部にて蓋体１２に軸支されている。２２、２３は夫々の軸支部を示す（図１、図２参照）。
【００１３】
故に、リンク部材１７と平行部材２０、２１は、４箇所の軸支部１８、１９、２２、２３を結ぶ各辺が平行な平行リンクを構成している。軸支部２２、２３間では蓋体１２がリンク部材の代わりをなしている。このような平行リンクの構成によって閉塞板１５が相対的に外部上方の閉じ位置Ａと、それよりも内部下方の後退位置Ｂとの間を平行移動可能となり、かつテーパ状の閉塞板１５は一定の姿勢を保って移動するので、孔部１４に正確に嵌まり合い、かつ蓋受枠１１の内部等と接触するおそれがない。なお、下平行部材２０の左右２部分２０ａ、２０ｂは止め具２４によって一体に組み合わされている。
【００１４】
平行リンクの取り付けのために蓋体１２の裏面に軸受部２５、２６が設けられている（図３参照）。軸受部２５、２６は蓋体鋳造時に形成された、上部軸支部２３の両端を受け支える部分であり、その挿入のために一部２７に切欠部２８が設けられている。さらに切欠部分に続く内方部分には下部軸支部２２の取り付け部２８′が設けられており、そこに取り付けた下部軸支部２２は上部軸支部２３の抜け止めを兼ねる。２９は付勢手段としての弾性部材を示しており、これによって閉塞板１５は孔部１４を閉じる位置Ａに位置付けられる。
【００１５】
この状態において、閉塞板１５が押し込まれると、リンク機構は軸支片２２、２３を中心に図２中、左回転し、それに伴い閉塞板１５も内部下方の後退位置へ移動する（図２鎖線）。この間、閉塞板１５は同一姿勢に保たれる。
【００１６】
図４以下は実施例２を示しており、平行リンクを構成しているリンク部材１７を跨ぐように、ロック部材３０が蓋体１２に軸支されている。ロック部材３０は、軸部３１により蓋体１２の軸支部３２に吊り下げ状態で取り付けられ、前述した相手部１３の下に位置して、係合可能な係合部３３を有している重錘であり、閉塞板１５が後退位置Ｂにあるときに上記係合が解除されるように、リンク部材１７と連繋した状態に置かれる（図６、図７参照）。
【００１７】
連繋手段として、リンク部材１７は突部３４を左右両側に有し、またロック部材３０は突部３４と接触可能な突部受部３５を前面（外方の面）に有している。３６は、突部受け部３５との間にリンク部材１７の突部３４を配置可能なスペースをおいて突部３４と係止する位置に設けられた係止部を示す。この連繋手段により、閉塞板１５とロック部材３０とが連動し得る状態に関係付けられ、閉塞板１５の操作によりロック部材３０を動かす一方では、ロック部材３０の荷重を閉塞板１５に作用させることができるものとなる。他の構成は実施例１のものと同様で良いので符号を援用し、詳細な説明を省略する。
【００１８】
このように構成された本発明に係る実施例２の孔部閉塞装置１０では、蓋受枠１１に蓋体１２をセットした状態において、蓋体１２の孔部１４が閉塞位置Ａにある閉塞板１５により閉塞されており、またロック部材３０は軸部３１にて吊り下げられ係合部３３が蓋受枠側の相手部１３の下部に位置して係合可能な状態にある。図６の状態である。このとき、閉塞板１５は予め設定されたリンク機構によって同一の態勢を保って内部下方から外方の上方へ平行移動している結果、孔部１４を閉じる位置Ａに置かれているので、リンク機構が設けられている蓋体側の孔部１４に鍔部１６が接触している状態にあり、蓋受枠側との接触は全く心配する必要がない。この点実施例１と同様である。閉塞板１５は閉じ位置Ａに弾性部材２９によって付勢されているので孔部１４をぴたりと閉ざすことができる。
【００１９】
閉蓋状態では上記のロック部材３０により蓋体１２がロック状態に置かれ、かつまた当該ロック部材３０と蓋中心を挟んで１８０度反対側の位置にある図示しない蓋蝶番機構によっても拘束された状態に置かれている。このため、地下構造物において内圧が上昇し、蓋体１２が強く加圧される状態になっても蓋体１２が跳ねとばされる危険性はない。
【００２０】
開蓋作業に当たっては、工具３７を用いてその先端により閉塞板１５を押し込む（図７）。その時、閉塞板１５は平行移動するので姿勢が変わらないから工具３７が滑ることもなく、後退位置Ｂまでスムーズに移動すると同時に、前記連繋手段によりロック部材３０を図中左回転させ、その係合部３３を相手部１３の下から脱しさせることができる。よって、工具３７の先端部３８を蓋体側に引っ掛けた状態で背面の突起３９を支点としてこじり（図７の状態）、蓋受枠上へ引きずりあげることができる。
【００２１】
開蓋後に再び蓋体１２により蓋受枠開口を閉じるときに、ロック部材３０は下降するにつれて相手部１３の上部傾斜面によって内方へ押され、通過後相手部１３の下に位置してロック状態に置かれる。閉塞板１５はロック部材３０によってもバックアップが得られるので確実に孔部１４が閉塞される。なお、閉塞板１５は、工具３７により押し込まれなくなれば、孔部１４を閉塞する閉じ位置Ａに弾性部材２９の付勢力によって戻る。
【００２２】
【発明の効果】
本発明は以上の如く構成されかつ作用するものであるから、孔部閉塞装置を設けた蓋体側は勿論のこと蓋受枠側とも干渉し合わず、接触を起こさず、孔部を隙き間なく閉じることができ、さらに、蓋体に対するロック機構を併設することができるので、必要最少限度の構成によって確実な孔部閉塞とロック状態とを得ることができるという効果を奏する。
【図面の簡単な説明】
【図１】  本発明に係る地下構造物用蓋の孔部閉塞装置の実施例１を示す分解斜視図。
【図２】  同じく閉じ位置Ａの断面図。
【図３】  図１の部分を説明する蓋体の裏面図。
【図４】  本発明装置の実施例２の要部を分解して示した斜視図。
【図５】  同じく組み立て状態の斜視図。
【図６】  同じく閉じ位置Ａの断面図。
【図７】  同じく後退位置Ｂを示す断面図。
【符号の説明】
１０  孔部閉塞装置
１１  蓋受枠
１２  蓋体
１３  相手部
１４  孔部
１５  閉塞板
１７  リンク部材
１８、１９、２２、２３  軸支部
２０、２１  平行部材
２９  弾性部材
３０  ロック部材
３３  係合部
３４  突部
３５  突部受部
【図１】
0003766313.tif 000002
【図２】
0003766313.tif 000003
【図３】
0003766313.tif 000004
【図４】
0003766313.tif 000005
【図５】
0003766313.tif 000006
【図６】
0003766313.tif 000007
【図７】
0003766313.tif 000008